(57)【要約】      （修正有）【課題】ユーザに経済的負担を与えることなく、保護フィルムを表示面に容易かつ良好に貼り付けることを可能にする。【解決手段】保護フィルム１１０の全表面１１０ａを覆って保護する表面カバー２と、表面カバー２に連結され、保護フィルム１１０の全裏面１１０ｂを覆って保護する裏面カバー３と、表面カバー２および裏面カバー３の少なくとも一方に連結された治具ケース４と、を備え、治具ケース４は、スマートフォンの外周が嵌合する嵌合部４２と、スマートフォンの外周が嵌合部４２に嵌合した状態で、表示面を露出させる窓状で、内縁４３ａによって保護フィルム１１０を表示面に案内するガイド部４３と、を有する。【選択図】図５
2016098028.tif 000002
【特許請求の範囲】
【請求項１】
スマートフォンの表示面に貼り付けられる保護フィルムを包装する、スマートフォン用保護フィルムのパッケージであり、
前記保護フィルムの全表面を覆って保護する表面保護体と、
前記表面保護体に連結され、前記保護フィルムの全裏面を覆って保護する裏面保護体と、
前記表面保護体および前記裏面保護体の少なくとも一方に連結された治具体と、を備え、
前記治具体は、
前記スマートフォンの外周が嵌合する嵌合部と、
前記スマートフォンの外周が前記嵌合部に嵌合した状態で、前記表示面を露出させる窓状で、内縁によって前記保護フィルムを前記表示面に案内するガイド部と、
を有することを特徴とするスマートフォン用保護フィルムのパッケージ。
【請求項２】
前記表面保護体、前記裏面保護体および前記治具体が、平面形状が略同形の略長方形の板状で、前記表面保護体の一長辺と前記裏面保護体の一長辺とが連結され、前記裏面保護体の他長辺と前記治具体の一長辺とが連結され、
前記スマートフォンの外周が前記治具体の前記嵌合部に嵌合した状態で、前記治具体に対して前記裏面保護体を略垂直に延ばして前記表面保護体を略平行に延ばすことで、前記表面保護体が前記表示面の上方を覆い、前記治具体と前記表面保護体との間から人の手を挿入可能となっている、
ことを特徴とする請求項１に記載のスマートフォン用保護フィルムのパッケージ。
【請求項３】
前記保護フィルムの外周縁に凹状の窪み部が設けられ、
前記治具体の前記ガイド部に、前記窪み部に嵌合する凸状のフィルム嵌合部を有する、
ことを特徴とする請求項１または２のいずれか１項に記載のスマートフォン用保護フィルムのパッケージ。
【発明の詳細な説明】
【技術分野】
【０００１】
この発明は、スマートフォン（多機能携帯電話）の表示面に貼り付けられる保護フィルムを包装する、スマートフォン用保護フィルムのパッケージに関する。
【背景技術】
【０００２】
スマートフォンの表示面が傷ついたり汚れたりするのを防止するために、表示面に保護フィルムを貼り付けることが一般的に行われている。しかしながら、薄くて曲がりやすい保護フィルムをスマートフォンの表示面に、正確に位置を合わせて、しかも空気が入ったりシワが生じたりしないように貼り付けるは、容易ではない。このため、表示面に対して保護フィルムを正確かつ容易に貼り付けることを可能にする、という保護フィルム貼付用治具が知られている（例えば、特許文献１参照。）。
【０００３】
この保護フィルム貼付用治具は、スマートフォンのケースに固定される第１固定部と第２固定部を備え、第１固定部と第２固定部は、保護フィルムが取り付けられるフィルム取付部を備えている。そして、第１固定部と第２固定部がスマートフォンのケースに固定された場合に、フィルム取付部に取り付けられた保護フィルムが表示面に対向し、保護フィルムを表示面に押し付けて貼り付けるものである。
【先行技術文献】
【特許文献】
【０００４】
【特許文献１】特開２０１４−００２２４６号公報
【発明の概要】
【発明が解決しようとする課題】
【０００５】
ところで、保護フィルムの貼り付けは、通常、保護フィルムの購入者である、スマートフォンのユーザが行う。このため、特許文献１の治具を使用するには、スマートフォンのユーザがこの治具も購入しなければならず、ユーザの経済的負担が大きい。
【０００６】
そこでこの発明は、ユーザに経済的負担を与えることなく、保護フィルムを表示面に容易かつ良好に貼り付けることを可能にする、スマートフォン用保護フィルムのパッケージを提供することを目的とする。
【課題を解決するための手段】
【０００７】
上記課題を解決するために、請求項１の発明は、スマートフォンの表示面に貼り付けられる保護フィルムを包装する、スマートフォン用保護フィルムのパッケージであり、前記保護フィルムの全表面を覆って保護する表面保護体と、前記表面保護体に連結され、前記保護フィルムの全裏面を覆って保護する裏面保護体と、前記表面保護体および前記裏面保護体の少なくとも一方に連結された治具体と、を備え、前記治具体は、前記スマートフォンの外周が嵌合する嵌合部と、前記スマートフォンの外周が前記嵌合部に嵌合した状態で、前記表示面を露出させる窓状で、内縁によって前記保護フィルムを前記表示面に案内するガイド部と、を有することを特徴とする。
【０００８】
請求項２の発明は、請求項１に記載のパッケージにおいて、前記表面保護体、前記裏面保護体および前記治具体が、平面形状が略同形の略長方形の板状で、前記表面保護体の一長辺と前記裏面保護体の一長辺とが連結され、前記裏面保護体の他長辺と前記治具体の一長辺とが連結され、前記スマートフォンの外周が前記治具体の前記嵌合部に嵌合した状態で、前記治具体に対して前記裏面保護体を略垂直に延ばして前記表面保護体を略平行に延ばすことで、前記表面保護体が前記表示面の上方を覆い、前記治具体と前記表面保護体との間から人の手を挿入可能となっている、ことを特徴とする。
【０００９】
請求項３の発明は、請求項１または２に記載のパッケージにおいて、前記保護フィルムの外周縁に凹状の窪み部が設けられ、前記治具体の前記ガイド部に、前記窪み部に嵌合する凸状のフィルム嵌合部を有する、ことを特徴とする。
【発明の効果】
【００１０】
請求項１の発明によれば、治具体の嵌合部にスマートフォンの外周を嵌合させた状態で、治具体のガイド部（窓）から保護フィルムを表示面に貼り付ける。この際、ガイド部の内縁によって保護フィルムが表示面に案内されるため、保護フィルムを表示面に容易かつ良好に貼り付けることが可能となる。そして、このような治具体が保護フィルムのパッケージに備わっているため、ユーザが保護フィルムとは別に治具を購入する必要がなく、ユーザに経済的負担を与えることがない。また、表面保護体、裏面保護体および治具体が連結されて一体となっているため、使い勝手がよく、また、治具体などをなくしてしまうことがない。
【００１１】
請求項２によれば、表面保護体で表示面の上方を覆った状態で、治具体と表面保護体との間から人の手を挿入可能なため、この状態で保護フィルムを貼り付けることで、埃やツバキなどがスマートフォンの表示面に付着することが防止、抑制される。この結果、表示面に保護フィルムを良好に貼り付けることが可能となる。つまり、表示面と保護フィルムとの間に埃やツバキなどが滞留することが削減され、仕上がり具合（貼り付け外観）が良好となる。しかも、表面保護体を利用して表示面の上方を覆うため、部品点数を減らして簡素化、低コスト化することが可能となる。
【００１２】
請求項３によれば、保護フィルムの窪み部に治具体のガイド部のフィルム嵌合部が嵌合するため、保護フィルムがガイド部によってより適正に（精度高く）案内され、保護フィルムを表示面により良好に貼り付けることが可能となる。
【図面の簡単な説明】
【００１３】
【図１】この発明の実施の形態に係るスマートフォン用保護フィルムのパッケージの使用状態を示す斜視図である。
【図２】この発明の実施の形態に係るスマートフォンを示す平面図である。
【図３】この発明の実施の形態に係るスマートフォン用保護フィルムを示す平面図である。
【図４】図１のパッケージの治具ケースを示す平面図（ａ）と、そのＡ−Ａ断面図（ｂ）である。
【図５】図１のパッケージでスマートフォン用保護フィルムを収容した状態を示す、平面図（ａ）とその正面図（ｂ）である。
【図６】図５（ｂ）の状態から表面カバーを開けた状態を示す正面図である。
【発明を実施するための形態】
【００１４】
以下、この発明を図示の実施の形態に基づいて説明する。
【００１５】
図１から図６は、この発明の実施の形態を示し、図１は、この発明の実施の形態に係るスマートフォン用保護フィルムのパッケージ（以下、「パッケージ」という）１の使用状態を示す斜視図である。このパッケージ１は、スマートフォン１００の表示面１０１に貼り付けられる保護フィルム１１０を包装する包装容器であり、主として、表面カバー（表面保護体）２と、裏面カバー（裏面保護体）３と、治具ケース（治具体）４と、を備えている。
【００１６】
ここで、スマートフォン１００は、図２に示すように、平面形状が縦長の略長方形で、表面の中央部に表示面（タッチパネル）１０１が設けられ、表面の上部にセンサ１０２やレシーバ１０３が設けられ、表面の下部にホームボタン１０４が設けられている。保護フィルム１１０は、樹脂製やガラス製のフィルムで、図３に示すように、平面形状が略長方形で、スマートフォン１００の表面をほぼ覆うように形成され、表示面１０１と対向する裏面１１０ｂに接着剤が塗布されている。また、上端縁（外周縁）に凹状のセンサ用窪み部（窪み部）１１１が設けられ、これによりセンサ１０２を避けて貼り付けられ、同様に、下端縁（外周縁）に凹状のボタン用窪み部（窪み部）１１２が設けられ、これによりホームボタン１０４を避けて貼り付けられるようになっている。さらに、センサ用窪み部１１１の近傍に逃がし孔１１３が形成され、これによりレシーバ１０３を避けて貼り付けられるようになっている。
【００１７】
表面カバー２は、図１、図５に示すように、透明の薄い板材で構成され、保護フィルム１１０の全表面１１０ａを覆って保護するカバーであり、平面形状が縦長の略長方形で、後述するようにして保護フィルム１１０を貼り付ける際に、表示面１０１の上方を覆って埃やツバキなどが表示面１０１に付着するのを防止、抑制できるように、形成されている。同様に、裏面カバー３は、透明の薄い板材で構成され、表面カバー２に連結され、保護フィルム１１０の全裏面１１０ｂを覆って保護するカバーであり、平面形状が表面カバー２と略同形状となっている。また、治具ケース４は、透明の厚い板材で構成されたケース・収容体で、裏面カバー３に連結され、平面形状が表面カバー２と略同形状となっている。
【００１８】
そして、表面カバー２の一長辺（一方の長辺）２１と裏面カバー３の一長辺３１とが、帯状（背表紙状）の連結片５を介して回動自在に連結・接続され、裏面カバー３の他長辺（他方の長辺）３２と治具ケース４の一長辺４１とが、回動自在に連結されている。これにより、図５に示すように、表面カバー２と裏面カバー３とで治具ケース４を挟むようにして折り重なるとともに、例えば、図１に示すように、表面カバー２と裏面カバー３と治具ケース４を展開できるようになっている。そして、折り重ねた状態で、後述する治具ケース４の嵌合部４２内に保護フィルム１１０を収容して、包装するようになっている。ここで、保護フィルム１１０は、保護紙などに包まれて収容されている。
【００１９】
また、表面カバー２、裏面カバー３および治具ケース４の連結部は、後述するようにして展開した状態（図１の状態）で、表面カバー２および裏面カバー３の姿勢を維持できるようになっている。さらに、裏面カバー３の上端縁には、図１、図５に示すように、商品棚などに吊り下げるためのフック３３が設けられている。
【００２０】
治具ケース４は、図４に示すように、スマートフォン１００の外周が嵌合する嵌合部４２と、スマートフォン１００の外周が嵌合部４２に嵌合した状態で、表示面１０１を露出させる窓状で、内縁４３ａによって保護フィルム１１０を表示面１０１に案内するガイド部４３と、を有する。
【００２１】
すなわち、治具ケース４の下面４ａから、スマートフォン１００の平面形状・輪郭と略同形状の窪みが彫り込まれて嵌合部４２が形成され、この嵌合部４２の高さは、スマートフォン１００が安定して嵌合・装着するように設定されている。また、治具ケース４の上面４ｂから、保護フィルム１１０の平面形状と略同形状の孔・開口が、嵌合部４２まで貫通するようにしてガイド部４３が形成されている。
【００２２】
ここで、ガイド部４３の上端縁には、センサ用窪み部１１１に嵌合する凸状の第１のフィルム嵌合部４３ｂが設けられ、下端縁には、ボタン用窪み部１１２に嵌合する凸状の第２のフィルム嵌合部４３ｃが設けられている。そして、このガイド部４３の内縁４３ａに保護フィルム１１０の外縁を合わせることで、内縁４３ａに沿って保護フィルム１１０が表示面１０１側に案内され、保護フィルム１１０が表示面１０１に対して所定の位置で重なるようになっている。また、ガイド部４３の高さは、保護フィルム１１０を安定して案内できるように設定されている。
【００２３】
そして、図１に示すように、スマートフォン１００の外周が治具ケース４の嵌合部４２に嵌合した状態、つまり、スマートフォン１００が嵌合部４２に装着された状態で、治具ケース４に対して裏面カバー３を略垂直に延ばし表面カバー２を略平行（略水平）に延ばして、展開する。この状態で、表面カバー２が表示面１０１の上方を覆い、治具ケース４と表面カバー２との間から人の手を挿入して、保護フィルム１１０の貼り付けが行えるように、表面カバー２、裏面カバー３および治具ケース４の大きさが設定されている、
次に、このような構成のパッケージ１の作用および使用方法などについて説明する。
【００２４】
まず、ユーザが保護フィルム１１０を購入した際には、図５に示すように、表面カバー２と裏面カバー３とで治具ケース４が挟まれて折り重ねられ、治具ケース４の嵌合部４２内に保護フィルム１１０が収容されている。この際、表面カバー２と裏面カバー３はテープなどで接続されて、開かないようになっている。そして、図５中の矢印Ｄ１方向に表面カバー２を開けると、図６に示すように、治具ケース４が露出・開放されるため保護フィルム１１０を取り出す。
【００２５】
次に、図６中の矢印Ｄ２方向に治具ケース４を開いて裏面カバー３から離し、表示面１０１をガイド部４３側に向けて、スマートフォン１００の外周を治具ケース４の嵌合部４２に嵌合させる。続いて、スマートフォン１００の表示面１０１を上方に向けた状態で、図１に示すように、治具体４に対して、裏面カバー３を略垂直に延ばして表面カバー２を略平行に延ばす。
【００２６】
そして、このガイド部４３の内縁４３ａに保護フィルム１１０の外縁（例えば、上端縁と両側縁）を合わせながら、保護フィルム１１０を表示面１０１に貼り付けていく。この際、内縁４３ａに沿って保護フィルム１１０が表示面１０１側に案内され、さらに、センサ用窪み部１１１に第１のフィルム嵌合部４３ｂが嵌合するとともに、ボタン用窪み部１１２に第２のフィルム嵌合部４３ｃが嵌合して、保護フィルム１１０が表示面１０１に対して所定の位置で重なるものである。
【００２７】
以上のように、このパッケージ１によれば、治具ケース４の嵌合部４２にスマートフォン１００の外周を嵌合させた状態で、治具ケース４のガイド部（窓）４３から保護フィルム１１０を表示面１０１に貼り付ける。この際、ガイド部４３の内縁４３ａによって、保護フィルム１１０が表示面１０１に対して所定の位置で重なるように案内されるため、保護フィルム１１０を表示面１０１に容易かつ良好に貼り付けることが可能となる。そして、このような治具ケース４が保護フィルム１１０のパッケージ１に備わっているため、つまり、パッケージ１が治具としての機能も有するため、ユーザが保護フィルム１１０とは別に治具を購入する必要がなく、ユーザに経済的負担を与えることがない。
【００２８】
しかも、保護フィルム１１０の窪み部１１１、１１２に治具ケース４のガイド部４３のフィルム嵌合部４３ｂ、４３ｃが嵌合するため、保護フィルム１１０がガイド部４３によってより適正に（精度高く）案内され、保護フィルム１１０を表示面１０１により良好に貼り付けることが可能となる。さらに、表面カバー２、裏面カバー３および治具ケース４が連結されて一体となっているため、使い勝手がよく、また、治具ケース４などをなくしてしまうことがない。
【００２９】
一方、表面カバー２で表示面１０１の上方を覆った状態で、治具ケース４と表面カバー２との間から人の手を挿入可能なため、この状態で保護フィルム１１０を貼り付けることで、埃やツバキなどがスマートフォン１００の表示面１０１に付着することが防止、抑制される。この結果、表示面１０１に保護フィルム１１０を良好に貼り付けることが可能となる。つまり、表示面１０１と保護フィルム１１０との間に埃やツバキなどが滞留することが削減され、仕上がり具合（貼り付け外観）が良好となる。しかも、表面カバー２を利用して表示面１０１の上方を覆うため、部品点数を減らして簡素化、低コスト化することが可能となる。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ガイド部４３の内縁４３ａが、保護フィルム１１０の外縁とほぼ全周にわたって接触して案内するようになっているが、一部のみ接触して案内するようにしてもよい。
【符号の説明】
【００３１】
１        スマートフォン用保護フィルムのパッケージ
２        表面カバー（表面保護体）
２１      一長辺
３        裏面カバー（裏面保護体）
３１      一長辺
３２      他長辺
４        治具ケース（治具体）
４１      一長辺
４２      嵌合部
４３      ガイド部
４３ａ    内縁
４３ｂ    第１のフィルム嵌合部（フィルム嵌合部）
４３ｃ    第２のフィルム嵌合部（フィルム嵌合部）
１００    スマートフォン
１０１    表示面
１１０    保護フィルム
１１０ａ  表面
１１０ｂ  裏面
１１１    センサ用窪み部（窪み部）
１１２    ボタン用窪み部（窪み部）
【図１】
2016098028.tif 000003
【図２】
2016098028.tif 000004
【図３】
2016098028.tif 000005
【図４】
2016098028.tif 000006
【図５】
2016098028.tif 000007
【図６】
2016098028.tif 000008